(57)【要約】  【課題】  ブラジャーのカップに型崩れを起こさずに洗濯機で洗濯する洗濯用ケースを提供する。  【解決手段】  球状体に組合わされ、表面に複数の孔１２が形成されると共に、周縁に係合機構が設けられる二つの半円形ケース１０，１１と、所定の浮力を有すると共に、前記球状体の内部に収容する浮力ボール２０とを備えることを特徴とする。  【選択図】  図２
0003110699.tif 000002
【実用新案登録請求の範囲】
【請求項１】
球状体に組合わされ、表面に複数の孔が形成されると共に、周縁に係合機構が設けられる二つの半円形ケースと、
所定の浮力を有すると共に、前記球状体の内部に収容する浮力ボールとを備えることを特徴とする洗濯用ケース。
【請求項２】
前記浮力ボールの表面に複数の突出状の粒が設けられることを特徴とする請求項１に記載の洗濯用ケース。
【請求項３】
前記係合機構は、半円形ケースの周縁に二つの係合溝が形成され、他の半円形ケースの周縁に該係合溝に係合する係合プレートが設けられ、又、前記係合機構と対向する半円形ケースの周縁に枢設孔を有する二つの枢設ブロックが設けられ、該枢設ブロックと対応する他の半円形ケースの周縁に枢設孔を有する枢設ブロックが設けられ、枢軸が枢設孔に貫通することにより、半円形ケースが互いに開閉を行うことができることを特徴とする請求項１又は２に記載の洗濯用ケース。
【考案の詳細な説明】
【技術分野】
【０００１】
本考案は、特にブラジャーを収容して洗濯機に入れて洗濯する洗濯用ケースに関するものである。
【背景技術】
【０００２】
一般にブラジャーのカップに、胸の形の調整と乳房の支持ためワイヤが設けられるので、一般の衣服と一緒に洗濯機の内部に放置して洗濯すると、ブラジャーと他の衣服が混ざることにより、ワイヤが破壊してしまうという問題を有する。
このような問題を解決する手法として一般的には、これらのブラジャーを一般の衣服と区別して手で洗う。しかし、手でブラジャーを洗う時、洗剤が手の肌を損傷する恐れがある。
【０００３】
前記の問題を防止するため、ブラジャーを洗濯ネットに入れて放置され、一般の衣服と一緒に洗濯機に入れて洗濯することにより、ブラジャーと一般の服とが混ざる問題を防止できる。
【考案の開示】
【考案が解決しようとする課題】
【０００４】
しかしながら、前記洗濯方式では、ブラジャーのワイヤが水中の衝撃によって変形する恐れがある。
【０００５】
ブラジャーのワイヤの変形を防止するため、本願の出願人は二つの半円形ケースからなると共に、内部にリング状衝撃体を設けた「洗濯用ボーレト」を台湾実用新案第９３２０８４１２号として出願した。
【０００６】
しかし、該洗濯用ボーレトにおけるリング状衝撃体の浮力不足により、該洗濯用ボーレトが洗濯機の内部の水流により水中に巻き込まれ、水面に浮き出し難しいので、ブラジャーを型崩れなく綺麗に洗濯するという優れる洗濯効果を達成できない。
【０００７】
そこで、案出されたのが本考案であって、ブラジャーを収容して洗濯機に入れて洗濯し、優れた洗濯効果を達成できる洗濯用ケースを提供することを目的としている。
【課題を解決するための手段】
【０００８】
上記目的を達成するために本考案の洗濯用ケースは、球状体に組合わされ、表面に複数の孔が形成されると共に、周縁に係合機構が設けられる二つの半円形ケースと、所定の浮力を有すると共に、前記球状体の内部に収容する浮力ボールとを備えたことを特徴とする（請求項１）。
又、前記浮力ボールの表面に複数の突出状の粒が設けられることを特徴とする（請求項２）。
更に、前記係合機構は、半円形ケースの周縁に二つの係合溝が形成され、他の半円形ケースの周縁に該係合溝に係合する係合プレートが設けられ、又、前記係合機構と対向する半円形ケースの周縁に枢設孔を有する二つの枢設ブロックが設けられ、該枢設ブロックと対応する他の半円形ケースの周縁に枢設孔を有する枢設ブロックが設けられ、枢軸が枢設孔に貫通することにより、半円形ケースが互いに開閉を行うことができることを特徴とする（請求項３）。
上記構成によれば、ブラジャーを左右のカップの間で折畳み、向かい合うカップの中に浮力ボールを入れ、これを開いた球状体の内部に入れ、係合機構を閉じる。これにより、ブラジャーのカップ部分は浮力ボールと半円形ケースが組み合わせられた球状体との間に保持され、カップ形状を保持する。よって、カップ形状を保形した状態で洗濯できる。
【考案の効果】
【０００９】
本考案は上記の課題を解決するものであり、半円形ケースからなる球状体の内部に所定の浮力ボール（衝撃浮き球）が設けられることにより、ブラジャーのワイヤを変形させずに優れた洗濯効果を達成できる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る洗濯用ケースの斜視図であり、図２は本考案に係る洗濯用ケースの分解斜視図であり、図３は本考案に係る洗濯用ケースの使用状態を示す分解斜視図であり、図４は本考案に係る洗濯用ケースの使用状態を示す断面図である。
【００１２】
図１及び図２に示すように、本考案に係る洗濯用ケースは、球状体に組合わされ、表面に複数の孔（１２）が形成されると共に、周縁に係合機構が設けられる二つの半円形ケース（１０）（１１）と、所定の浮力を有すると共に、前記球状体の内部に収容する浮力ボール（２０）とを備える。
【００１３】
前記係合機構では、半円形ケース（１０）の周縁に二つの係合溝（１００）が形成され、他の半円形ケース（１１）の周縁に該係合溝（１００）に係合する係合プレート（１１０）が設けられ、又、前記係合機構と対向する半円形ケース（１０）の周縁に枢設孔（１０２）を有する二つの枢設ブロック（１０１）が設けられ、該枢設ブロック（１０１）と対応する他の半円形ケース（１１）の周縁に枢設孔（１１２）を有する枢設ブロック（１１１）が設けられ、枢軸（符号なし）が枢設孔（１０２）（１１２）に貫通することにより、半円形ケース（１０）（１１）が互いに開閉を行うことができる。
【００１４】
前記浮力ボール（２０）の表面に複数の突出状の粒（２１）が設けられることにより、洗濯の際のブラジャー（３０）の衝撃効果を向上することができる。又、該浮力ボール（２０）は中空のプラスチック材、又は中実（ソリッド）の発泡素材からなるものである。
【００１５】
又、図３と図４に示すように、本考案に係る洗濯用ケースを使用する際、前記浮力ボール（２０）をブラジャー（３０）のカップ（３１）の中に入れ、該カップ（３１）を対合して半円形ケース（１０）（１１）の内部に収容し、係合機構によって半円形ケース（１０）（１１）を締めて他の衣服と一緒に洗濯機の内部に放置する。
【００１６】
本考案に係る洗濯用ケースを使用する過程中、該半円形ケース（１０）（１１）からなる球状体を衝撃水流の中に巻き込む際、浮力ボール（２０）が所定の浮力を有するので、ブラジャー（３０）と半円形ケース（１０）（１１）を水面に浮き出させ、この動作を繰り返すことにより、優れた洗濯効果を達成することができる。
【産業上の利用可能性】
【００１７】
本考案は上記の構成を有するので、半円形ケースからなる球状体の内部に所定の浮力ボールが設けられることにより、ブラジャーのワイヤを変形させずに優れた洗濯効果を達成できる。
【図面の簡単な説明】
【００１８】
【図１】本考案に係る洗濯用ケースの斜視図である。
【図２】本考案に係る洗濯用ケースの分解斜視図である。
【図３】本考案に係る洗濯用ケースの使用状態を示す分解斜視図である。
【図４】本考案に係る洗濯用ケースの使用状態を示す断面図である。
【符号の説明】
【００１９】
１０        半円形ケース
１１        半円形ケース
１２        孔
２０        浮力ボール
２１        顆粒
３０        ブラジャー
３１        カップ
１００      係合溝
１０１      枢設ブロック
１０２      枢設孔
１１０      係合プレート
１１１      枢設ブロック
１１２      枢設孔
【図１】
0003110699.tif 000003
【図２】
0003110699.tif 000004
【図３】
0003110699.tif 000005
【図４】
0003110699.tif 000006